(57)【特許請求の範囲】
【請求項１】
ネック部を介してモータ部を支持するポール部よりなる主体部と、前記ポール部を支持するベース部と羽根およびガードよりなる従体部とに分割される扇風機を梱包するダンボール製の箱ケースと、この箱ケースの内部を主体部収納室と従体部収納室に区画する仕切板と、前記箱ケースの底部側のフラップを前記従体部収納室内に立ち上がらせ形成した支持板とを備え、前記支持板により前記主体部収納室に収納されるモータ部に対応する前記仕切板部分を支持する構成とした扇風機の梱包装置。
【請求項２】
仕切板のポール部側がふたまた状となるように上下２分し、下方側仕切りをガードの外方に沿わせ端部を箱ケースの内壁に当接させ、上方側仕切りはポール部上を横切り、端部を前記ポール部の下端部を囲むようにして前記箱ケースの内側角部に対応させた請求項１記載の扇風機の梱包装置。
【請求項３】
モータ部の前部と上部および後部を囲むように仕切板に形成される折曲部の前部側には前記モータ部の前部側の軸受部分が嵌挿される嵌挿部を設け、前記モータ部の後部側に対応する部分を第１と第２の壁によりなる２重壁に形成し、前記２重壁の第１の壁に前記モータ部の後部が挿入される第１の挿入孔を設け、第２の壁に前記モータ部の後端部に当接する当接片を残存させた状態の第２の挿入孔を設けた請求項１記載の扇風機の梱包装置。
【請求項４】
箱ケースの上部側内フラップに支持板と同一長さ位置に切り込みを設けて補強片を形成し、前記支持板とほぼ平行となるように折り曲げ、前記箱ケースとともに空間部を形成し、端部でモータ部に対応する仕切板を支持する構成とした請求項１記載の扇風機の梱包装置。
【請求項５】
モータ部側となる箱ケースの側壁に、この側壁と補強片間に形成される空間に臨み開口される取手用開口部を設け、前記取手用開口部が前記箱ケースの封凾用テープの近傍に開口する構成とした請求項１記載の扇風機の梱包装置。
【請求項６】
箱ケースの上部側外フラップに封凾用テープの貼付部より反封凾側に位置をずらして上部側内フラップに設けた係合孔に係合できる係合爪を形成し、保管時のフラップ係止手段を構成した請求項１記載の扇風機の梱包装置。
【請求項７】
箱ケースの底部側フラップを立ち上がらせ形成する支持板に代えて仕切板と箱ケース内面間に前記箱ケースとは別個に形成した支持材を介在させた請求項１記載の扇風機の梱包装置。
【請求項８】
箱ケースの上側内フラップに形成される補強片に代えて箱ケースに設けた取手用開口部に連通する開口を有し、前記箱ケースと別個に形成した補強箱を設けた請求項１記載の扇風機の梱包装置。
【発明の詳細な説明】
【０００１】
【発明の属する技術分野】
本発明は扇風機をモータ部をネックピースを介して支持するポール部よりなる主体部と、前記ポール部を支持するベース部と羽根およびガードよりなる従体部とに分割して梱包されるダンボール製の扇風機の梱包装置に関する。
【０００２】
【従来の技術】
従来、この種のダンボール製の扇風機の梱包箱として実公平３−３０２８９号公報に記載されたものが知られていた。
【０００３】
以下、その扇風機の梱包箱について図１２および図１３を参照しながら説明する。
【０００４】
図に示すように、扇風機を扇風機主体１０１、羽根１０２および前ガード１０３、後ガード１０４に分解して収納する梱包箱において、折畳み可能に形成された横形直方体状の外箱１０５と、この外箱１０５の側壁１０６に平行４辺形を形成するように固着され、かつ外箱１０５内に長手方向に収納される扇風機本体１０１の両面に羽根１０２を収納した後ガード１０４および前ガード１０３を分離する緩衝材中枠１０７と、後ガード１０４に固定されているガードハンドル１０８を利用するように前記緩衝材中枠１０７に設けられた引っ掛け溝１０９とを備え構成されていた。なお、嵌合板１１１とベース板１１２を挿入することにより、外箱１０５は補強されている。このような従来の扇風機の梱包箱においては、ベース部１１０が分離されていない扇風機本体１０１の両側に羽根１０２を収容した後ガード１０４と前ガード１０３を分離して梱包しているため、外箱１０５の厚み寸法が大きくなり保管時の保管容積が大きくなるという課題があった。
【０００５】
また、包装箱は外箱１０５と緩衝材中枠１０７とベース板１１２、およびモータ受１１１等の種々の梱包材が必要となりコスト高になるという課題があった。
【０００６】
そこで、上記課題を解決するものとして出願人は薄形の扇風機の梱包装置を開発していた。
【０００７】
以下、その構成について、図１４を参照しながら説明する。
図に示すように、扇風機を梱包するダンボール製の箱ケース２０９は、ネック部２０１を介してモータ部２０２を支持するポール部２０３よりなる主体部２０４と、ポール部２０３を支持するベース部２０５と羽根２０６およびガード２０７よりなる従体部２０８とに、大きく２つに分けて収納している。
【０００８】
箱ケース２０９の内部は第１の仕切板２１２と、第２の仕切板２１３が交差して配置されている。第１の仕切板２１２は箱ケース２０９の内部を主体部収納室２１０と従体部収納室２１１に区画し、第２の仕切板２１６は第１の仕切板２１２と交差して従体部収納室２１１を２分して従体部収納室２１１と空間部２１３に区切り、主体部収納室２１０をモータ部収納室２１４とポール部収納室２１５に区切り、端部を箱ケース２０９の内面に固定している。
【０００９】
【発明が解決しようとする課題】
このような従来の扇風機の梱包装置においては、ベース部２０５をポール部２０３より分離して羽根２０６およびガード２０７とともに従体部２０８とともに主体部２０４の側方に並設し梱包するため、箱ケース２０９を薄形に形成することができるとともに、種々の梱包材を用いる必要をなくすことができたが、箱ケース２０９の内部を仕切るのに第１の仕切板２１２と第２の仕切板２１６を交差して設ける必要があるとともに、箱ケース２０９の角部に対応するポール部２０３の下端部およびモータ部２０２の後部の保護が未だ不十分なものであるという課題があり、部材点数の削減および梱包される扇風機の保護を確実に行うことが要求されている。
【００１０】
本発明は、このような従来の課題を解決するもので、部材点数を削減し、箱ケースの強度向上を図り、梱包される扇風機の保護を確実に行うことができる扇風機の梱包装置を提供することを目的とする。
【００１１】
【課題を解決するための手段】
本発明の扇風機の梱包装置は上記目的を達成するために、ネック部を介してモータ部を支持するポール部よりなる主体部と前記ポール部を支持するベース部と羽根およびガードよりなる従体部とに分割される扇風機を梱包するダンボール製の箱ケースと、この箱ケースの内部を主体部収納室と従体部収納室に区画する仕切板と、前記箱ケースの底部側フラップを前記従体部収納室内に立ち上がらせ形成した支持板とを備え、前記支持板により前記主体部収納室に収納されたモータ部に対応する前記仕切板部分を支持する構成としたものである。
【００１２】
本発明によれば、部材点数を削減し、箱ケースの強度向上を図り、梱包される扇風機の保護を確実に行うことができる扇風機の梱包装置を提供することができる。
【００１３】
【発明の実施の形態】
本発明は、ネック部を介してモータ部を支持するポール部よりなる主体部と前記ポール部を支持するベース部と羽根およびガードよりなる従体部とに分割される扇風機を梱包するダンボール製の箱ケースと、この箱ケースの内部を主体部収納室と従体部収納室に区画する仕切板と、前記箱ケースの底部側フラップを前記従体部収納室内に立ち上がらせ形成した支持板とを備え、前記支持板により前記主体部収納室に収納されるモータ部に対応する前記仕切板部分を支持する構成としたものであり、扇風機が主体部と従体部に分割され、箱ケース内に一枚の仕切板により主体部収納室と従体部収納室を形成し、支持板により主体部収納室に収納されるモータ部に対応する仕切板を支持していることにより、仕切板は一枚の部材となり部材点数が削減され箱ケースの強度向上を図り、梱包される扇風機の保護を確実に行うことができるという作用を有する。
【００１４】
以下、本発明の実施例について図面を参照しながら説明する。
【００１５】
【実施例】
（実施例１）
図１〜図７に示すように、箱ケース１を形成する第１の側壁２と第２の側壁３と第１の側壁２に対向する第３の側壁４および第２の側壁３に対向する第４の側壁５を折り曲げ線６を介して連設する。また、第１の側壁２の上下には第１の下フラップ２ａと第１の上フラップ２ｂを設け、第２の側壁３には第２の下フラップ３ａと第２の上フラップ３ｂを設け、第３の側壁４には第３の下フラップ４ａと第３の上フラップ４ｂを設け、第４の側壁５には第４の下フラップ５ａと第４の上フラップ５ｂを設け、第１の側壁２には接続片２ｃを設け、角側壁と各フラップは折り曲げ線７を介して連設されるように設ける。
【００１６】
そして、箱状に形成するときには、第４の側壁５に接続片２ｃを接続して枠状とし、第１の下フラップ２ａと第３の下フラップ４ａを折り曲げ線７を介して先に折り曲げ接合部分は封凾用テープ８等で接合して底部を形成する。一方、扇風機本体は主体部９と従体部１０とに分割可能に設け、主体部９はモータ部１１をネック部１２を介して支持するポール部１３よりなり、従体部１０はベース部１４と羽根１５とガード部１６を形成する後ガード１６ａおよび前ガード１６ｂより形成される。
【００１７】
また、主体部９と従体部１０が収納できるように箱ケース１内に主体部収納室１７と従体部収納室１８に区画するための帯状の仕切板１９を設け、仕切板１９には一方のポール部１３側がふたまた状となるように上下を２分する切り込み２０を設け、他方のモータ部１１側にはモータ部１１の前部と上部および後部を囲むように折り曲げる折り曲げ線２１を設けて折曲部２２を形成する。折曲部２２の前部側にはモータ部１１の前部側の軸受部分２３が嵌挿される嵌挿部２４を設け、モータ部の後部側に対応する部分を第１の壁２５と第２の壁２６よりなる２重壁に形成し、第１の壁２５にはモータ部１１の後部が挿入される第１の挿入孔２７を設け、第２の壁２６にはモータ部１１の後端部に当接する当接片２８が残存するように連結片２９を設けた状態で第２の挿入孔３０を設ける。
【００１８】
また、箱ケース１内に仕切板１９を設けたときに仕切板１９を支持する支持板３１を第２の下フラップ３ａの一部を折り曲げ立ち上がらせて形成する。
【００１９】
また、第２の上フラップ３ｂに支持板３１と同一長さ位置に切り込み３２を設け補強片３３を形成し、支持板３１とほぼ平行になるように折り曲げ線３４を介して折り曲げ、箱ケース１の第２の側壁３とともに中空状の空間部３５を形成し、端部でモータ部１１に対応する仕切板１９を支持するように形成する。
【００２０】
また、第２の側壁３には、第２の側壁３と補強片３３間に形成される空間部３５に臨み開口される取手用開口部３６を設け、取手用開口部３６は箱ケース１の封凾用テープ８の近傍に開口するように構成する。
【００２１】
上記構成において、扇風機を梱包するときには、まず扇風機本体を主体部９と従体部１０に分割する。すなわち、ネック部１２を介してモータ部１１を支持するポール部１３よりなる主体部９と、ベース部１４、羽根１５、後ガード１６ａ、前ガード１６ｂよりなる従体部１０とに分割する。
【００２２】
そして、仕切板１９に設けた嵌挿部２４にモータ部１１の軸受部分２３を嵌挿したのち、折曲部２２の第１の壁２５に設けた第１の挿入孔２７にモータ部１１の後部を挿入し、さらに第２の壁２６に設けた第２の挿入孔３０に挿入し、当接片２８をモータ部１１の後部に当接させている。仕切板１９のポール部１３側は切り込み２０により上下に２分し、上方側の仕切り１９ａはポール部１３上を横切り、端部をポール部１３の下端部を囲むようにした状態で、仕切板１９により囲まれた主体部９のモータ部１１側が第２の側壁３側となるように箱ケース１内に収納している。このときモータ部１１の後部側に当接している当接片２８を第３の側壁４の内面に当接させ、仕切板１９のポール部１３側の端部は第３の側壁４と第４の側壁５の角部の内側に配設している。さらに第２の下フラップ３ａの一部を立ち上がらせて支持板３１を形成し、支持板３１を仕切板１９と第１の側壁２間に形成して支持板３１により仕切板１９を支持する。なお仕切板１９のポール部１３側の下方側の仕切り１９ｂの端部は第４の側壁５に当接している。箱ケース１内部は仕切板１９および支持板３１により、主体部収納室１７と従体部収納室１８および空間部３５とに区画されている。
【００２３】
また、従体部収納室１８にはベース部１４を収納し、ベース部１４のポール受部１４ａにベース押さえ３７を設け、ベース押さえ３７上には、羽根１５を止めるためのスピンナー３８と、羽根１５と羽根押さえ３９を載遭し、その上に後ガード１６ａと前ガード１６ｂを重ねて収納している。
【００２４】
箱ケース１に蓋をするときには、第２の上フラップ３ｂと第４の上フラップ５ｂを折り曲げ線７を介して水平状に折り曲げ、このとき第２の上フラップ３ｂに形成された補強片３３を支持板３１とほぼ平行となるように折り曲げ線３４を介して折り曲げ、箱ケース１の第２の側壁３とともに中空状の空間部３５を形成する。
【００２５】
補強片３３の端部でモータ部１１に対応する仕切板１９を支持するようにしたのち、第１の上フラップ２ｂと第３の上フラップ４ｂを折り曲げ線７を介して水平状に折り曲げ、接合部分を封凾用テープ８で接合して蓋をして梱包する。
【００２６】
このように本発明の実施例１の扇風機の梱包装置によれば、扇風機を主体部９と従体部１０に分割し、ダンボール製の箱ケース１の内部を仕切板１９により主体部収納室１７と従体部収納室１８に仕切り、箱ケース１の底部側となる第２の下フラップ３ａの一部を立ち上がらせ形成した支持板３１により主体部収納室１７に収納されたモータ部１１に対応する仕切板１９部分を支持したので、一枚の仕切板１９で仕切り、支持板３１を第２の下フラップ３ａを立ち上げ形成することにより、部品点数を削減することができるとともに、仕切板１９の補強ができ、梱包才数の削減も図ることができる。
【００２７】
また、仕切板１９のポール部１３側がふたまた上になるように上下２分し、下方側の仕切り１９ｂをガード部１６の外方に沿わせて支持し、上方側の仕切り１９ａはポール部１３上を横切り、端部でポール部１３の端部を囲み箱ケースの内側角部に対応させたので、主体部９の下端部が保護されるとともに、ポール部１３が上方側の仕切り１９ａで押さえられるので、こすれや遊びが防止され、さらに箱ケース１の角部の補強を行うことができる。
【００２８】
また、仕切板１９の端部に折曲部２２を設け、第１の壁２５と第２の壁２６の２重壁を形成し、第１の壁２５にはモータ部１１の後部が挿入される第１の挿入孔２７を設け、第２の壁２６にはモータ部１１の後端部が当接する当接片２８を残存させた第２の挿入孔３０を設けたので、モータ部１１の後端部の緩衝が良くなりモータ部１１を衝撃に対し十分に保護することができる。
【００２９】
また、箱ケース１上部側の内フラップとなる第２の上フラップ３ｂに補強片３３を形成し、箱ケース１とともに空間部３５を形成し、補強片３３の端部でモータ部１１に対応する仕切板１９を支持したので、モータ部１１の横方向への移動を阻止することができるとともに、空間部３５部分の補強を行うことができる。
【００３０】
また、箱ケース１の上部側壁となる第２の側壁３に設けられる取手用開口部３６を封凾用テープ８の近傍に開口したので、取手用開口部３６が封凾用テープ８により補強され取手用開口部３６の破れを防止することができる。
【００３１】
（実施例２）
図８および図９に示すように、上部側外フラップを形成する第１の上フラップ２ｂおよび第３の上フラップ４ｂに封凾用テープ８の貼付部４０より反封凾側にずらした位置に対応して、上部側内フラップを形成する第２の上フラップ３ｂおよび第４の上フラップ５ｂに斜めに切り込みを入れ係合孔４１を形成している。係合孔４１に係合する係合爪４２を上部側外フラップを形成する第１の上フラップ２ｂおよび第３の上フラップ４ｂの封凾テープ８の貼付部４０より反封凾側に位置をずらして斜めに折り曲げることにより係合するように設け、係合孔４１と係合爪４２によりフラップ係止手段４３を形成し箱ケース１Ａを構成する。
【００３２】
上記構成において、家庭等で使用していた扇風機の使用シーズンが済んで保管するときには、箱ケース１Ａを開口し、内部に扇風機を収納したのち、上部側内フラップを形成する第２の上フラップ３ｂおよび第４の上フラップ５ｂで蓋をするとともに、その上に上部側外フラップを形成する第１の上フラップ２ｂおよび第３の上フラップ４ｂを重ね、第１の上フラップ２ｂおよび第３の上フラップ４ｂに設けた係合爪４２を折り曲げ、第２の上フラップ３ｂおよび第４の上フラップ５ｂに設けた係合孔４１に差し込み係止する。
【００３３】
このとき、係合爪４２は、第１の上フラップ２ｂおよび第３の上フラップ４ｂの封凾用テープ８の貼付部４０より位置を反封凾側に設けられていることにより、箱ケース１Ａを取扱う、梱包時および開梱時に接触することも少なく、外方が加わることがなくなり、ダンボール製の係合爪４２がはがれたり、つぶれたりして変形することがなく、容易に差し込むことができる。
【００３４】
このように本発明時の実施例２の扇風機の梱包装置によれば、箱ケース１Ａの上部側外フラップに封凾用テープ８の貼付部４０より反封凾側に位置をずらして上部側内フラップに設けた係合孔４１に係合できる係合爪４２を設けフラップ係止手段４３を構成したので、家庭等において、扇風機の使用シーズンが済み、箱ケース１Ａ内に扇風機を収納して保管するとき、係合孔４１に係合爪４２を係合する簡単な作業により箱ケース１Ａの蓋部分の係止を行うことができ、箱ケース１Ａの蓋部分を係止するのに封凾用テープを用いる必要がなくなるとともに、封凾テープの用意をしておくわずらわしさがなくなる。
【００３５】
また、上部側外フラップに設けられる係合爪４２が封凾用テープ８の貼付部４０となる角部より内側に設けられることとなり、係合爪４２がつぶれたりすることが防止される。
【００３６】
（実施例３）
図１０に示すように、箱ケース１Ｂの底部側フラップを立ち上がらせ形成する支持板に代えて、仕切板１９と箱ケース１Ｂの内面間に、箱ケース１Ｂとは別個に形成した、ダンボール紙を断面が方形状となるように折り曲げ形成した支持材４４を介在させる構成とする。
【００３７】
上記構成において、支持材４４は仕切板１９と箱ケース１Ｂの内面間に設けることにより、仕切板１９は接触面積を大きく形成することが可能な支持材４４により支持されることとなる。
【００３８】
このように本発明の実施例３の扇風機の梱包装置は箱ケース１Ｂの底部側フラップを立ち上がらせ形成する支持板に代えて、支持材４４を別個に設けたので、フラップを立ち上がらせ形成する場合に比較して、組立性が良くなるとともに、支持材４４を強固に形成することができる。
【００３９】
なお、実施例３では支持材４４をダンボール紙を断面が方形状となるように折り曲げ形成したものとしたが、支持材４４はこの形状に限定されるものでないことはいうまでもない。
【００４０】
（実施例４）
図１１に示すように、箱ケース１Ｃの上側内フラップに形成される補強片に代えて箱ケース１Ｃに設けた取手用開口部３６に連通する開口４５を有し、箱ケース１Ｃと別個に形成したほぼ箱形状のダンボール製の補強箱４６を仕切板１９と箱ケース１Ｃ間に設ける構成とする。
【００４１】
上記構成において、補強箱４６は仕切板１９と箱ケース１Ｃの内面間に設けることにより、取手用開口部３６より異物が侵入しても、補強箱４６内にとどまり、箱ケース１Ｃ内に侵入して梱包品の扇風機を損傷することがなくなる。
【００４２】
このように本発明の実施例４の扇風機の梱包装置によれば箱ケース１Ｃの上側内フラップに形成される補強片に代え、ほぼ箱形状の補強箱４６を別個に設けたので、取手用開口部３６より異物が侵入しても補強箱４６内にとどまり、箱ケース１Ｃ内に梱包されている扇風機を損傷することがないとともに、仕切板１９を支える強度も向上させることができる。
【００４３】
【発明の効果】
以上の実施例から明らかなように、本発明によればネック部を介してモータ部を支持するポール部よりなる主体部と前記ポール部を支持するベース部と羽根およびガードよりなる従体部とに分割される扇風機を梱包するダンボール製の箱ケースと、この箱ケースの内部を主体部収納室に区画する仕切板と、前記箱ケースの底部側のフラップを前記従体部収納室内に立ち上がらせ形成した支持板とを備え、前記支持板により前記主体部収納室に収納されるモータ部に対応する前記仕切板部分を支持する構成としたので、部品点数を削減することができ、また、仕切板の補強ができ梱包才数の削減も図ることができる扇風機の梱包装置を提供できる。
【００４４】
また、仕切板のポール部側がふたまた状となるように上下２分し下方側仕切りをガードの外方に沿わせ、端部を箱ケースの内壁に当接させ、上下側仕切りはポール部上を横切り端部を前記ポール部の下端部を囲むようにして前記箱ケースの内側角部に対応させたので、主体部の下端部が保護されるとともにポール部の遊びによるこすれが防止され、さらに、箱ケースの角部の補強を行うことができる。
【００４５】
また、モータ部の前部と上部および後部を囲むように仕切板に形成される折曲部の前部側には前部モータ部の前部側の軸受部分が嵌挿される嵌挿部を設け、前記モータ部の後部側に対応する部分を第１と第２の壁によりなる２重壁を形成し、前記２重壁の第１の壁に前記モータ部の後部が挿入される第１の挿入孔を設け、第２の壁に前記モータ部の後端部に当接する当接片を残存させた状態の第２の挿入孔を設けたので、モータ後端部に対する緩衝が良くなりモータ部を衝撃に対し十分に保設することができる。
【００４６】
また、箱ケースの上部側内フラップに支持板と同一長さ位置に切り込みを設けて補強片を形成し、前記支持板とほぼ平行となるように折り曲げ、前記箱ケースとともに空間部を形成し、端部でモータ部に対応する仕切板を支持す構成としたので、モータ部の横方向への移動を阻止できるように補強を行うことができる。
【００４７】
また、モータ部側となる箱ケースの上側壁に、この上側側壁と補強片間に形成される空間に臨み開口される取手用開口部を設け、前記取手用開口部が前記箱ケースの封凾用テープの近傍に開口する構成としたので、取手用開口部の破れを防止することができる。
【００４８】
また、箱ケースの上部側外フラップに封凾用テープの貼付位置より反封凾側に位置をずらして上部側内フラップに設けた係合孔に係合できる係合爪を形成し、保管時のフラップ係止手段を構成したので、係合爪がつぶれたりすることが防止され、簡単な作業により箱ケースの蓋部分を係止することができる。
【００４９】
また、箱ケースの底部側フラップを立ち上がらせ形成する支持板に代えて仕切板と箱ケース内面間に前記箱ケースとは別個に形成した支持材を介在させたので、組立性が良くなるとともに、支持材を強固に形成することができる。
【００５０】
また、箱ケースの上側内フラップに形成される補強片に代えて箱ケースに設けた取手用開口部に連通する開口を有し、前記箱ケースと別個に形成した補強箱を設けたので、取手用開口部から異物が侵入しても異物は補強箱内にとどまり箱ケース内に梱包された扇風機が損傷するのが防止される。
【図面の簡単な説明】
【図１】本発明の実施例１の扇風機の梱包装置の梱包時の内部状態を示す上面図
【図２】同扇風機の梱包装置の羽根、ガードの梱包時の状態を示す斜視図
【図３】同扇風機の梱包装置の箱ケースの展開図
【図４】同扇風機の梱包装置の仕切板の展開図
【図５】同扇風機の梱包装置のモータ部を囲む仕切板の状態を示す上面図
【図６】同扇風機の梱包装置の補強片による補強状態を示す斜視図
【図７】同扇風機の梱包装置の封凾用テープと取手用開口部の関係を示す斜視図
【図８】（イ）本発明の実施例２の扇風機の梱包装置の箱ケースの展開図
（ロ）同係合爪の拡大図
【図９】同扇風機の梱包装置の梱包時の状態を示す斜視図
【図１０】本発明の実施例３の扇風機の梱包装置の支持材部分の状態を示す拡大斜視図
【図１１】本発明の実施例４の扇風機の梱包装置の補強箱部分の状態を示す拡大斜視図
【図１２】従来の扇風機の包装箱に扇風機を挿入した状態を示す平面図
【図１３】同扇風機の包装箱の分解斜視図
【図１４】同の他の扇風機の梱包装置の梱包時の内部状態を示す平面図
【符号の説明】
１      箱ケース
１Ａ    箱ケース
１Ｂ    箱ケース
１Ｃ    箱ケース
８      封凾用テープ
９      主体部
１０    従体部
１１    モータ部
１２    ネック部
１３    ポール部
１４    ベース部
１５    羽根
１６    ガード部
１７    主体部収納室
１８    従体部収納室
１９    仕切板
１９ａ  上方側の仕切り
１９ｂ  下方側の仕切り
２２    折曲部
２３    軸受部分
２４    嵌挿部
２５    第１の壁
２６    第２の壁
２７    第１の挿入孔
２８    当接片
３０    第２の挿入孔
３１    支持板
３２    切り込み
３３    補強片
３５    空間部
３６    取手用開口部
４０    貼付部
４１    係合孔
４２    係合爪
４３    フラップ係止手段
４４    支持材
４５    開口
４６    補強箱
【図１】
0004056636.tif 000002
【図２】
0004056636.tif 000003
【図３】
0004056636.tif 000004
【図４】
0004056636.tif 000005
【図５】
0004056636.tif 000006
【図６】
0004056636.tif 000007
【図７】
0004056636.tif 000008
【図８】
0004056636.tif 000009
【図９】
0004056636.tif 000010
【図１０】
0004056636.tif 000011
【図１１】
0004056636.tif 000012
【図１２】
0004056636.tif 000013
【図１３】
0004056636.tif 000014
【図１４】
0004056636.tif 000015